(57)【要約】    【課題】  電池交換時の使用者の安全を維持しつつ、接触端子の接触部と電池の端子部との接触状態を良好に維持することができる電池収容室を提供することにある。    【解決方法】  電池収容室２は、その頂部に、ヒンジピン７を介して電池収容室２の開口部の開閉を行う電池蓋３を有する。電池蓋３は、その内部に空洞を有し、この空洞内に接触端子４を内蔵している。接触端子４は、その下端に電池１の端子部１１と接触する接触部４１を有する。接触端子４は、空洞内で電池蓋３の厚さ方向に移動自在となるように構成されている。電池蓋３を閉じて、ロック部材６をロック係合凹部２１側（ロック方向）に移動することにより、接触端子４を電池蓋３の内側に移動して、先端部の形状が「断面三角の凹凸状」である接触端子４を端子部１１に確実に当接させる。【選択図】      図１
2005166488.tif 000002
【特許請求の範囲】
【請求項１】
電池を収容すべく装置本体に設けられた電池収容室において、
前記電池収容室の開口部を開閉すると共に、閉じたときにロックされ得るように構成された電池蓋と、前記電池蓋の厚さ方向に移動自在に前記電池蓋内に内蔵され、前記電池蓋が閉じたときに前記電池の端子に接触する断面三角の凹凸状の接触部を有する接触端子とを備え、
前記接触端子は、前記電池蓋が閉じて前記電池蓋がロックされたときに、前記接触部が前記電池蓋の内側に突出し、前記ロックが解除されたときに、前記接触部が前記電池蓋の中に引き込まれるように構成されていることを特徴とする電池収容室。
【請求項２】
前記電池蓋は、前記電池蓋に内蔵され、前記電池蓋をロックすべく前記電池蓋が閉じたときに前記電池蓋の長さ方向に移動自在なロック部材を有し、前記接触端子は、前記ロック部材の移動に応じて前記電池蓋の厚さ方向に移動するように構成されていることを特徴とする請求項１記載の電池収容室。
【請求項３】
前記ロック部材は、前記長さ方向及び前記厚さ方向に夫々垂直な垂直方向に突出するピンを有し、前記接触端子は、前記ピンと係合すると共に前記電池蓋の厚さ方向に対して傾斜した長穴を有し、当該長穴の傾斜方向は、前記電池蓋が閉じた場合において、前記ロック部材がロック方向に移動したときに前記接触端子が前記電池蓋の内側に移動し、前記ロック部材がロック方向と反対方向に移動したときに前記接触端子が前記電池蓋の外側に移動するような方向であることを特徴とする請求項２記載の電池収容室。
【発明の詳細な説明】
【技術分野】
【０００１】
本発明は、電池収容室、特に装置本体に設けられた電池収容室に関する。
【背景技術】
【０００２】
装置本体の電源をなす、例えば単三電池１は、円柱状であり、頂部にプラス端子部１１を、底部にマイナス端子部１２を有し、装置本体に電力を供給する（図４）。
【０００３】
図４は、従来の電池収容室の概略構成を示す断面図であり、電池蓋が閉ロック状態にある場合を示す（例えば特許文献１参照）。
【０００４】
図４において、装置本体（不図示）は、電池１を収容する電池収容室２を有し、電池収容室２は、その頂部に、ヒンジピン７を介して電池収容室２の開口部の開閉を行う電池蓋３を有する。
【０００５】
電池蓋３は、その内部に空洞を有し、この空洞内にプラス接触端子４を内蔵している。プラス接触端子４は、その下端に電池１のプラス端子部１１と接触するプラス接触部４１を有する。
【０００６】
電池収容室２は、その底部に頂部側に付勢されたＵ字形バネから成る内部接触端子５を有し、内部接触端子５は、その上端に電池１のマイナス端子１２と接触するマイナス接触部５１を有する。
【０００７】
電池収容室２は、電子蓋３が開状態のときに、電池１の装填／取り出しが可能であり、閉状態のときに、装置本体に電力を供給することができる。
【０００８】
電池収容室２は、電池蓋３の直下内側部にロック係合凹部２１を有しており、電池蓋３には、電池蓋３が閉じている状態においてロック係合凹部２１に対して電池蓋３の長さ方向に突出／引っ込み自在にロック部材６が内蔵されている。ロック部材６は、一端がロック係合凹部２１に嵌合すると共に、他端が電池蓋３の外部に突出する操作部６１を構成するＬ字形をなす。
【０００９】
図４では、電池蓋３が閉じていると共に、ロック部材６のロック係合凹部２１への係合によりロック状態にあり（閉ロック状態）、プラス接触端子４及びマイナス接触端子５は、夫々プラス端子部１１及びマイナス端子部１２に当接している。これにより、装置本体内の回路が閉じたときに、装置本体に電力を供給することができる。
【００１０】
図４において、ロック部材６の操作部６１を矢印Ｃの方向（ロック方向と反対の方向）に操作すると、図５に示すように、電池蓋３が矢印Ｄの方向に回動して（開ロック解除状態）、最終的には、図６に示すように、電池収容室２の開口部を完全に開とすることができる（開状態）。この状態において、使用者は、電池１の装填／取り出しをすることができる。
【００１１】
上記プラス接触端子４のプラス接触部４１は、その先端部の形状が「平坦」であり、上記マイナス接触端子５のマイナス接触部５１は、その先端部の形状が「断面三角の凹凸状」である（例えば特許文献２参照）。
【００１２】
マイナス接触部５１の先端部の形状を「断面三角の凹凸状」とする理由は、電池１の保存状態によってはプラス端子部１１等に付着形成される異物や酸化膜を突き破って接触抵抗値を減少させ、もって電池１の作動時間を増加させるためである。
【特許文献１】特開２００３−１７８７３３号公報
【特許文献２】特開平７−４５２６３号公報
【発明の開示】
【発明が解決しようとする課題】
【００１３】
しかしながら、プラス接触端子４のプラス接触部４１は、使用者が電池1の交換の度にアクセスする部分であることから、プラス接触部４１は、その先端部の形状が、使用者の安全のために、「断面三角の凹凸状」ではなく「平坦」としているので、プラス接触端子４のプラス接触部４１と電池１のプラス端子部１１との接触状態を良好に維持することが困難である。
【００１４】
本発明の目的は、電池交換時の使用者の安全を維持しつつ、接触端子の接触部と電池の端子部との接触状態を良好に維持することができる電池収容室を提供することにある。
【課題を解決するための手段】
【００１５】
上記の目的を達成するために、請求項１記載の電池収容室は、電池を収容すべく装置本体に設けられた電池収容室において、前記電池収容室の開口部を開閉すると共に、閉じたときにロックされ得るように構成された電池蓋と、前記電池蓋の厚さ方向に移動自在に前記電池蓋内に内蔵され、前記電池蓋が閉じたときに前記電池の端子に接触する断面三角の凹凸状の接触部を有する接触端子とを備え、前記接触端子は、前記電池蓋が閉じて前記電池蓋がロックされたときに、前記接触部が前記電池蓋の内側に突出し、前記ロックが解除されたときに、前記接触部が前記電池蓋の中に引き込まれるように構成されていることを特徴とする。
【００１６】
請求項２記載の電池収容室は、請求項１記載の電池収容室において、前記電池蓋は、前記電池蓋に内蔵され、前記電池蓋をロックすべく前記電池蓋が閉じたときに前記電池蓋の長さ方向に移動自在なロック部材を有し、前記接触端子は、前記ロック部材の移動に応じて前記電池蓋の厚さ方向に移動するように構成されていることを特徴とする。
【００１７】
請求項３記載の電池収容室は、請求項２記載の電池収容室において、前記ロック部材は、前記長さ方向及び前記厚さ方向に夫々垂直な垂直方向に突出するピンを有し、前記接触端子は、前記ピンと係合すると共に前記電池蓋の厚さ方向に対して傾斜した長穴を有し、当該長穴の傾斜方向は、前記電池蓋が閉じた場合において、前記ロック部材がロック方向に移動したときに前記接触端子が前記電池蓋の内側に移動し、前記ロック部材がロック方向と反対方向に移動したときに前記接触端子が前記電池蓋の外側に移動するような方向であることを特徴とする。
【発明の効果】
【００１８】
請求項１記載の電池収容室によれば、電池蓋が閉じて電池蓋がロックされたときに、接触部が電池蓋の内側に突出し、ロックが解除されたときに、断面三角の凹凸状の接触部が電池蓋の中に引き込まれるので、電池交換時の使用者の安全を維持しつつ、接触端子の接触部と電池の端子部との接触状態を良好に維持することができる。
【００１９】
請求項２記載の電池収容室によれば、接触端子が、ロック部材の移動に応じて電池蓋の厚さ方向に移動するので、請求項１による効果を確実に、奏することができる。
【００２０】
請求項３記載の電池収容室によれば、長穴の傾斜方向は、電池蓋が閉じた場合において、ロック部材がロック方向に移動したときに接触端子が電池蓋の内側に移動し、ロック部材がロック方向と反対方向に移動したときに接触端子が電池蓋の外側に移動するような方向であるので、請求項１による効果を更に確実に、奏することができる。
【発明を実施するための最良の形態】
【００２１】
装置本体の電源をなす、例えば単三電池１は、円柱状であり、頂部にプラス端子部１１を、底部にマイナス端子部１２を有し、装置本体に電力を供給する（図１）。
【００２２】
図１は、本発明の電池蓋を備える電池収容室の概略構成を示す断面図であり、電池蓋が閉ロック状態にある場合を示す。
【００２３】
図１において、装置本体（不図示）は、電池１を収容する電池収容室２を有し、電池収容室２は、その頂部に、ヒンジピン７を介して電池収容室２の開口部の開閉を行う電池蓋３を有する。
【００２４】
電池蓋３は、その内部に空洞を有し、この空洞内にプラス接触端子４を内蔵している。プラス接触端子４は、その下端に電池１のプラス端子部１１と接触するプラス接触部１２を有する。プラス接触端子４は、空洞内で電池蓋３の厚さ方向に移動自在となるように構成されている。
【００２５】
電池収容室２は、その底部に頂部側に付勢されたＵ字形バネから成る内部接触端子５を有し、内部接触端子５は、その上端に電池１のマイナス端子部１２と接触するマイナス接触部５１を有する。
【００２６】
電池収容室２は、電池蓋３が開状態のときに、電池１の装填／取り出しが可能であり、閉状態のときに、装置本体に電力を供給することができる。
【００２７】
電池収容室２は、電池蓋３の直下内側部にロック係合凹部２１を有しており、電池蓋３には、電池蓋３が閉じている状態において、ロック係合凹部２１に対して電池蓋３の長さ方向に突出／引っ込み自在にロック部材６が内蔵されている。ロック部材６は、ロック方向に移動したときに一端がロック係合凹部２１に嵌合すると共に、他端が電池蓋３の外部に突出する操作部６１を構成するＬ字形をなす。
【００２８】
ロック部材６は、Ｌ字形の角部にヒンジピン７と平行（電池蓋３の長さ方向及び厚さ方向に夫々垂直）にカムピン６３を有し、プラス接触端子４は、カムピン６３と係合する長穴４２を有する。長穴４２は、電池蓋３の厚さ方向に対してヒンジピン７側に傾斜しており、具体的には、その傾斜方向は、電池蓋３が閉じた場合において、ロック部材６がロック係合凹部２１側（ロック方向）に移動したときにプラス接触端子４が電池蓋３の内側に移動し、ロック部材６がヒンジピン７側（ロック方向と反対方向）に移動したときにプラス接触端子４が電池蓋３の外側に移動するような方向である。
【００２９】
上記プラス接触端子４のプラス接触部４１、及び上記マイナス接触端子５のマイナス接触部５１は、夫々、先端部の形状が「断面三角の凹凸状」である。
【００３０】
図１では、電池蓋３が閉じていると共に、ロック部材６がロック係合凹部２１側に移動してロック部材６のロック係合凹部２１への係合によりロック状態にある（閉ロック状態）。このとき、プラス接触端子４は、電池蓋３の内側に移動して、プラス接触端子４及びマイナス接触端子５を、夫々プラス端子部１１及びマイナス端子部１２に当接している。これにより、装置本体内の回路が閉じたときに、装置本体に電力を供給することができる。
【００３１】
図１において、ロック部材６の操作部６１を矢印Ａの方向（ヒンジピン７側）に操作すると、図２に示すように、電池蓋３が矢印Ｂの方向に回動するときに、カムピン６３と長穴４２の作用によりプラス接触端子４を電池蓋３の外側に移動させて（開ロック解除状態）、最終的には、図３に示すように、電池収容室２の開口部を完全に開とすることができる（開状態）。この状態において、使用者は、電池１の装填／取り出しをすることができる。
【００３２】
本実施の形態によれば、電池蓋３を閉じて、ロック部材６をロック係合凹部２１側（ロック方向）に移動することにより、プラス接触端子４を電池蓋３の内側に移動して、先端部の形状が「断面三角の凹凸状」であるプラス接触端子４をプラス端子部１１に確実に当接させることができると共に（図１）、電池蓋３を開けるときに、ロック部材６をヒンジピン７側に移動することにより、プラス接触端子４を電池蓋３の外側に移動して、先端部の形状が「断面三角の凹凸状」であるプラス接触端子４を電池蓋３の空洞内に確実に格納することができ（図２，図３）、もって、電池交換時の使用者の安全を維持しつつ、プラス接触端子４のプラス接触部４１と電池１のプラス端子部１１との接触状態を良好に維持することができる。
【図面の簡単な説明】
【００３３】
【図１】本発明の実施の形態に係る電池蓋を備える電池収容室の概略構成を示す断面図であり、電池蓋が閉ロック状態にある場合を示す。
【図２】本発明の実施の形態に係る電池蓋を備える電池収容室の概略構成を示す断面図であり、電池蓋が開ロック解除状態にある場合を示す。
【図３】本発明の実施の形態に係る電池蓋を備える電池収容室の概略構成を示す断面図であり、電池蓋が開状態にある場合を示す。
【図４】従来の電池収容室の概略構成を示す断面図であり、電池蓋が閉ロック状態にある場合を示す。
【図５】従来の電池収容室の概略構成を示す断面図であり、電池蓋が開ロック解除状態にある場合を示す。
【図６】従来の電池収容室の概略構成を示す断面図であり、電池蓋が開状態にある場合を示す。
【符号の説明】
【００３４】
１  電池
２  電池収納室
３  電池蓋
４  プラス接触端子
５  内部接触端子
６  ロック部材
７  蓋支持軸
１１  電池プラス端子部
１２  電池マイナス端子部
２１  ロック係合凹部
４１  プラス接触部
４２  長穴
５１  マイナス接触部
６１  操作部
６２  ロック部
６３  カムピン
【図１】
2005166488.tif 000003
【図２】
2005166488.tif 000004
【図３】
2005166488.tif 000005
【図４】
2005166488.tif 000006
【図５】
2005166488.tif 000007
【図６】
2005166488.tif 000008